(57)【特許請求の範囲】
【請求項１】
主板および前記主板の両面に配置された複数の羽根を有し、回転軸を中心に回転する羽根車と、
前記羽根車の回転方向に前記羽根車を囲む渦巻形状の周壁、前記回転軸の軸方向において前記羽根車を覆い、空気が流入するケーシング吸い込み口を有する側壁並びに開口部分から前記羽根車の回転による前記空気が流出する出口開口部を有し、前記羽根車を収容するスクロールケーシングとを有する送風部を備え、
前記出口開口部は、前記軸方向とは垂直な方向における前記開口部分の長さが、前記軸方向において前記主板と対応する位置の長さよりも、開口端部の位置における長さの方が短く構成され、前記開口部分の前記軸方向における最大長さが、前記軸方向における前記羽根車の前記主板と前記吸い込み口との間の長さよりも長く構成された送風機。
【請求項２】
主板および前記主板の両面に配置された複数の羽根を有し、回転軸を中心に回転する羽根車と、
前記羽根車の回転方向に前記羽根車を囲む渦巻形状の周壁、前記回転軸の軸方向において前記羽根車を覆い、空気が流入するケーシング吸い込み口を有する側壁並びに開口部分から前記羽根車の回転による前記空気が流出する出口開口部を有し、前記羽根車を収容するスクロールケーシングとを有する送風部を備え、
前記出口開口部は、前記軸方向とは垂直な方向における前記開口部分の長さが、前記軸方向において前記主板と対応する位置の長さよりも、開口端部の位置における長さの方が短く構成され、前記軸方向とは垂直な方向において、前記開口部分の前記軸方向における長さが最大となる位置と前記羽根車との距離が、前記軸方向において前記主板と対応する位置の、前記軸方向とは垂直な方向における前記開口部分の長さの中心の位置と前記羽根車との距離よりも長い送風機。
【請求項３】
主板および前記主板の両面に配置された複数の羽根を有し、回転軸を中心に回転する羽根車と、
前記羽根車の回転方向に前記羽根車を囲む渦巻形状の周壁、前記回転軸の軸方向において前記羽根車を覆い、空気が流入するケーシング吸い込み口を有する側壁並びに開口部分から前記羽根車の回転による前記空気が流出する出口開口部を有し、前記羽根車を収容するスクロールケーシングとを有する送風部を備え、
前記出口開口部は、前記軸方向とは垂直な方向における前記開口部分の長さが、前記軸方向において前記主板と対応する位置の長さよりも、開口端部の位置における長さの方が短く構成され、
複数台の前記送風部が、前記吸い込み口が相対して配置され、
前記回転軸の前記軸方向における前記出口開口部の開口端部同士がそれぞれ接して構成される送風機。
【請求項４】
主板および前記主板の両面に配置された複数の羽根を有し、回転軸を中心に回転する羽根車と、
前記羽根車の回転方向に前記羽根車を囲む渦巻形状の周壁、前記回転軸の軸方向において前記羽根車を覆い、空気が流入するケーシング吸い込み口を有する側壁並びに開口部分から前記羽根車の回転による前記空気が流出する出口開口部を有し、前記羽根車を収容するスクロールケーシングとを有する送風部を備え、
前記出口開口部は、前記軸方向とは垂直な方向における前記開口部分の長さが、前記軸方向において前記主板と対応する位置の長さよりも、開口端部の位置における長さの方が短く構成され、
複数台の前記送風部が、前記吸い込み口が相対して配置され、
前記回転軸の軸方向における前記出口開口部の開口端部がそれぞれ連通して構成される送風機。
【請求項５】
主板および前記主板の両面に配置された複数の羽根を有し、回転軸を中心に回転する羽根車と、
前記羽根車の回転方向に前記羽根車を囲む渦巻形状の周壁、前記回転軸の軸方向において前記羽根車を覆い、空気が流入するケーシング吸い込み口を有する側壁並びに開口部分から前記羽根車の回転による前記空気が流出する出口開口部を有し、前記羽根車を収容するスクロールケーシングとを有する送風部を備え、
前記出口開口部は、前記軸方向とは垂直な方向における前記開口部分の長さが、前記軸方向において前記主板と対応する位置の長さよりも、開口端部の位置における長さの方が短く構成され、
複数台の前記送風部が、前記吸い込み口が相対して配置され、
隣り合う前記送風機において、一体形成された羽根が、それぞれの前記羽根車の前記主板に配置され、それぞれの前記出口開口部の間に、前記一体形成された羽根の回転による前記空気が流出する追加出口開口部を有する送風機。
【請求項６】
本体吸い込み口と本体吹き出し口とを有する本体ケーシングと、
前記本体ケーシングの内部に設置された熱交換器と、
前記本体ケーシングの内部で空気の流れにおいて、前記熱交換器よりも下流側に設置される、請求項１〜請求項５のいずれか一項に記載の送風機と
を備える室内機。
【請求項７】
請求項６に記載の室内機を備える空気調和装置。
【発明の詳細な説明】
【技術分野】
【０００１】
この技術は、送風機、室内機およびその室内機を有する空気調和装置に関するものである。特に、スクロールケーシングにおいて空気が送り出される出口側の流路に関するものである。
【背景技術】
【０００２】
空気調和装置などの冷凍サイクル装置において、室内機には、従来から、吸い込んだ空気を送り出す送風機が設置される。室内機は、送風機と熱交換器とを本体ケーシング内に収容する。送風機は、羽根車である遠心ファンおよび渦巻状のスクロールケーシングを送風部として有する。また、スクロールケーシングは、吹き出し孔と吸い込み孔とを有する。そして、スクロールケーシングの吹き出し孔は、室内機が有する本体ケーシングの吹き出し口と連通する。ここで、反吹き出し孔側の角部が切欠かれ、空気が吸い込み孔に吸入されるようにしたスクロールケーシングが提案されている（たとえば、特許文献１参照）。
【先行技術文献】
【特許文献】
【０００３】
【特許文献１】特開２００４−３４７３１１号公報
【発明の概要】
【発明が解決しようとする課題】
【０００４】
しかしながら、上述した特許文献１の室内機は、熱交換器を通過した空気をスムーズに遠心ファンに取り込んで効率をよくするものであり、吹き出し孔側の空気の流れに係る改善ではない。このため、吹き出し孔に送り出される空気の流れによっては、吹き出し側に起因する騒音および送風性能の低下が発生する可能性がある。【０００５】
特に、特許文献１の室内機における送風機は、複数の送風部を有する。そして、送風機において、各送風部の吸い込み孔が相対するように配設される。このように、必要な空気流量を得るために、限られた空間内に多くの送風部を配設しようとすると、各送風部における吸い込み孔の距離が小さくなる。このため、吸い込み孔における上流の気流が、遠心ファンの回転軸の軸方向に偏る。したがって、送風機は、スクロールケーシング内の渦流が大きくなり、騒音が大きく、消費電力が大きくなることで効率が低下しやすくなる。【０００６】
上記のような課題を解決するため、低騒音化および高効率化による送風性能の向上の両立をはかることができる送風機、室内機および空気調和装置を提供することを目的とする。
【課題を解決するための手段】
【０００７】
この開示に係る送風機は、主板および主板の両面に配置された複数の羽根を有し、回転軸を中心に回転する羽根車と、羽根車の回転方向に羽根車を囲む渦巻形状の周壁、回転軸の軸方向において羽根車を覆い、空気が流入するケーシング吸い込み口を有する側壁並びに開口部分から羽根車の回転による空気が流出する出口開口部を有し、羽根車を収容するスクロールケーシングとを有する送風部を備え、出口開口部は、軸方向とは垂直な方向における開口部分の長さが、軸方向において主板と対応する位置の長さよりも、開口端部の位置における長さの方が短く構成され、開口部分の軸方向における最大長さが、軸方向における羽根車の主板と吸い込み口との間の長さよりも長く構成されたものである。
【０００８】
また、この開示に係る室内機は、本体吸い込み口と本体吹き出し口とを有する本体ケーシングと、本体ケーシングの内部に設置された熱交換器と、本体ケーシングの内部で空気の流れにおいて、熱交換器よりも下流側に設置される上記の送風機とを備えるものである。【０００９】
また、この開示に係る空気調和装置は、上記の室内機を備えるものである。
【発明の効果】
【００１０】
この開示によれば、出口開口部は、軸方向とは垂直となる方向における開口部分の長さが、軸方向において主板と対応する位置における開口部分の長さよりも、開口端部の位置の長さの方が短く構成される。このため、出口開口部の開口端部における開口面の開口面積が小さくなり、風速が速くなる。このため、主板側の風速との差が縮小することで、出口開口部の開口部分における風速分布を、より均一化することができる。したがって、送風機は、低騒音および送風効率の向上を実現することができる。
【図面の簡単な説明】
【００１１】
【図１】実施の形態１に係る室内機１００の一例を説明する図である。
【図２】実施の形態１に係る送風部２Ａを有する送風機２の要部を説明する斜視図である。
【図３】実施の形態１に係る送風部２Ａの要部を説明する図である。
【図４】実施の形態１に係るスクロールケーシング５が有する出口開口部１２について説明する図である。
【図５】実施の形態２に係るスクロールケーシング５の要部について説明する図である。
【図６】実施の形態２に係るスクロールケーシング５の要部の別例について説明する図である。
【図７】実施の形態３に係る送風機２の要部について説明する図である。
【図８】実施の形態４に係る送風機２の要部について説明する図である。
【図９】実施の形態５に係る空気調和装置の構成例を示す図である。
【発明を実施するための形態】
【００１２】
以下、実施の形態に係る送風機、室内機および空気調和装置について、図面などを参照しながら説明する。以下の図面において、同一の符号を付したものは、同一またはこれに相当するものであり、以下に記載する実施の形態の全文において共通することとする。そして、明細書全文に表わされている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。また、以下の説明において、図における上方を「上側」とし、下方を「下側」として説明する。さらに、理解を容易にするために、方向を表す用語（たとえば「右」、「左」、「前」、「後」など）などを適宜用いるが、説明のためのものであって、実施の形態に係る送風機、室内機および空気調和装置の内容を限定するものではない。また、室内機において、後述する本体吹き出し口が見える側が正面（前面）側であるものとする。したがって、後述する送風機の出口開口部における開口面が、正面になる。また、正面側から見て上下となる方向を高さ方向とし、左右となる方向を、幅方向とする。後述するように、幅方向は、送風機内で回転する羽根車における回転軸の軸方向となり、高さ方向は、軸方向に垂直な方向に沿うこととなる。高さ方向は、羽根車の半径方向に沿うことにもなる。ここで、圧力および温度の高低については、特に絶対的な値との関係で高低が定まっているものではなく、装置などにおける状態、動作などにおいて相対的に定まるものとする。そして、図面では各構成部材の大きさの関係が実際のものとは異なる場合がある。
【００１３】
実施の形態１．
図１は、実施の形態１に係る室内機１００の一例を説明する図である。また、図２は、実施の形態１に係る送風部２Ａを有する送風機２の要部を説明する斜視図である。
【００１４】
室内機１００は、本体ケーシング１の内部に、室内熱交換器６と送風機２とを有する。また、本体ケーシング１は、本体吸い込み口７と本体吹き出し口８とを有する。本体吸い込み口７は、空気調和対象空間である室内の空気（以下、室内空気という）を本体ケーシング１の内部に取り込むために内外を連通する開口部分である。また、本体吹き出し口８は、本体ケーシング１内から空気調和された空気（以下、空調空気という）などを室内に送り出すために内外を連通する開口部分である。空調空気は、室内熱交換器６で熱交換されずに送風された空気も含むものとする。ここで、実施の形態１の室内機１００においては、本体吸い込み口７および本体吹き出し口８のそれぞれの幅方向における寸法と室内熱交換器６の幅方向における寸法とは、略同一の寸法で構成される。そして、室内機１００を通過する空気の流れにおいて、本体吸い込み口７の下流側となる位置には、室内熱交換器６が略逆Ｖ字型に配設される。また、室内熱交換器６の下流側で本体吹き出し口８の上流側となる位置には、送風機２が配設される。
【００１５】
室内熱交換器６は、室内空気と冷媒とを熱交換させることで、空調空気を作り出す。実施の形態１の室内熱交換器６は、たとえば、所定の間隔を介して積層された複数のフィンと、それぞれのフィンを積層方向に貫通する複数の伝熱管とを備える。室内熱交換器６は、本体ケーシング１内において、前面側と背面側とにそれぞれ配置されている。
【００１６】
送風機２は、室内空気を本体ケーシング１の内部に取り込み、空調空気を室内に吹き出す空気の流れを作る。図２に示すように、送風機２は、複数台の送風部２Ａ、シャフト３および駆動モータ９を有する。駆動モータ９は、後述するように、制御装置（図示せず）からの指示に基づいて回転駆動し、シャフト３を回転させることで、複数台の送風部２Ａが有する羽根車４を回転させる。したがって、シャフト３は、後述する羽根車４の回転軸１０となる。また、室内機１００の駆動モータ９は、本体ケーシング１内を通過する空気の流れの妨げにならないように、本体ケーシング１内の側面側に配設される。羽根車４および羽根車４を収容するスクロールケーシング５を備える複数の送風部２Ａは、シャフト３に沿って、所定の間隔をもって配置される。
【００１７】
図３は、実施の形態１に係る送風部２Ａの要部を説明する図である。羽根車４は、駆動モータ９の回転駆動により回転する部材である。羽根車４は、回転によって生じる遠心力で、羽根車４の半径方向の外側に向けて、強制的に空気を送出する。羽根車４は、遠心型または斜流型に構成される。羽根車４は、主板１３と複数の羽根１４とを有する。主板１３は、回転軸１０を中心に、回転可能に設けられる円板である。複数の羽根１４は、回転軸１０を中心とする円周上に、主板１３の両面上に、一方の端部が接続固定され、配置される。各羽根１４は、主板１３の面上から、回転軸１０の軸方向に沿った方向（ケーシング吸い込み口１１に向かう方向）に、それぞれ設けられる。各羽根１４は、半径方向と平行にまたは半径方向に対して所定の角度で傾斜して、主板１３の面上の外周縁近傍にお互いに一定の間隔をもって設けられる。
【００１８】
各羽根１４は、各羽根１４の主板１３と接続する端部とは逆側の端部であるケーシング吸い込み口１１側の端部において、連結部１７によって接続固定される。連結部１７は、複数の羽根１４のケーシング吸い込み口１１の端部を接続できる径を有する一連の環状の部材である。連結部１７は、複数の羽根１４の端部を接続して、各羽根１４の位置関係を維持し、かつ、複数の羽根１４を補強する。ここで、連結部１７は、各羽根１４の端部を覆うことができる幅を有する環状の板材であってもよい。また、連結部１７は、各羽根１４の外周側を連結する環状の部材であってもよい。ここで、実施の形態１の羽根車４は、主板１３の両面に接続される各羽根１４の長さが同じであるものとする。したがって、実施の形態１の送風機２においては、主板１３は、幅方向である回転軸１０の軸方向において、羽根車４の中央部分に位置する。
【００１９】
羽根車４は、このような構成を備えて、回転軸１０を中心に回転することによって、主板１３と複数の羽根１４とによって囲まれた空間の空気を、各羽根１４の間を通して、半径方向の外方に向けて送出することができる。
【００２０】
スクロールケーシング５は、概ね円柱状の空間を内部に形成する、たとえば、中空の円筒であって、渦巻状となるスクロールタイプの筐体である。スクロールケーシング５は、内部に羽根車４の全体を概ね囲むことができる大きさである。スクロールケーシング５は、羽根車４が半径方向の外側に送出した空気を整流して、後述する出口開口部１２から一方向に向けて送り出す壁面を有する。スクロールケーシング５は、回転軸１０に直交して配置されて羽根車４を覆い、互いに対向する２つの端面１５と、各々の端面１５の外縁部を接続し、羽根車４の外周に延在して回転方向に羽根車４を囲む渦巻形状の周壁１６とを有する。各端面１５は、ケーシング吸い込み口１１を有する。ケーシング吸い込み口１１は、羽根車４とスクロールケーシング５の外部との間を、スクロールケーシング５内に流入する空気が流通できるように、羽根車４の端部に囲まれた領域に形成された開口部分である。ここで、前述したように、羽根車４の主板１３は、回転軸１０の軸方向において、羽根車４の中央部分に位置する。各端面１５と羽根車４との距離はほぼ同じであることから、主板１３は、回転軸１０の軸方向において、スクロールケーシング５の中央部分に位置する。
【００２１】
また、スクロールケーシング５の周壁１６と羽根車４の外周端部との隙間は、羽根車４の外周端部との隙間がもっとも小さくなる位置から羽根車４の回転方向に所定の割合で拡大する。周壁１６は、羽根車４の回転方向において所定の位置まで形成される。
【００２２】
図４は、実施の形態１に係るスクロールケーシング５が有する出口開口部１２について説明する図である。図４は、送風部２Ａを正面側から見たときの各要素の位置関係を示している。送風部２Ａのスクロールケーシング５は、出口開口部１２を有する。出口開口部１２は、スクロールケーシング５の内部と外部との間を空気が流通できるように形成された開口部分である。したがって、出口開口部１２は、スクロールケーシング５から流出する空気の流路となる、連通穴による開口面を有する。ここで、実施の形態１の送風機２は、各送風部２Ａの出口開口部１２と室内機１００の本体ケーシング１が有する本体吹き出し口８とが連通するように配置される。
【００２３】
ここで、スクロールケーシング５の出口開口部１２は、正面側から開口面を見たときに、開口している部分の高さ方向における長さが、幅方向である回転軸１０の軸方向において、羽根車４の主板１３の位置に対応する位置の長さを最大とする。そして、その長さは、実施の形態1においては、出口開口部１２のケーシング吸い込み口１１側の開口端部にかけて漸次縮小する。
【００２４】
図４に示すように、実施の形態１の出口開口部１２の開口面形状については、回転軸１０の軸方向の開口端部における高さ方向の長さである端部高さＬは、回転軸１０の軸方向の中央部分における高さ方向の長さである最大高さＬｍａｘよりも短い（Ｌｍａｘ＞Ｌ）。ここでは、特に、出口開口部１２は、最大高さＬｍａｘとなる部分から端部まで、長さが漸次短くなるような形状で構成される。端部高さＬが最大高さＬｍａｘよりも短くなるようにすることで、出口開口部１２の開口端部における開口面積を小さくして、通過する空気の速度を速める。このため、空気が吸い込まれる方向と吹き出される方向とが異なる送風機２において、風速が速い出口開口部１２の中央部分と風速が遅い開口端部との流速の差が縮小する。ここで、羽根車４において、主板１３の回転軸１０の軸方向における位置により、出口開口部１２の回転軸１０の軸方向における最大高さＬｍａｘとなる位置が変わる。
【００２５】
前述したように、実施の形態１の送風機２においては、各送風部２Ａは、隣り合うケーシング吸い込み口１１が相対するように配置される。ここで、実施の形態１のように構成された送風機２を有する室内機１００の動作について説明する。駆動モータ９が回転駆動することで、本体ケーシング１の内部に設置された送風機２において、複数台の送風部２Ａの羽根車４を回転させる。室内空気は、本体吸い込み口７から本体ケーシング１の前面側と背面側に配置された室内熱交換器６に流入する。流入した室内空気は、室内熱交換器６を通過する際に、室内熱交換器６を貫通する複数の伝熱管の内部を流動する冷媒と熱交換をする。熱交換した室内空気は、空調空気となって、ケーシング吸い込み口１１に到達する。ケーシング吸い込み口１１からスクロールケーシング５の内部に流入した空調空気は、羽根車４により流れの方向が羽根車４の半径方向に変えられてスクロールケーシング５の内部を通過して、出口開口部１２から送り出される。出口開口部１２から送り出された空調空気は、出口開口部１２と連通する本体吹き出し口８から室内に吹き出される。
【００２６】
次に、実施の形態１のように構成された室内機１００の効果について説明する。実施の形態１の送風部２Ａにおけるスクロールケーシング５は、周壁１６と羽根車４の外周端部との隙間は空調空気が流れる方向に空調空気の流路面積が次第に拡大するように構成されている。このため、空調空気がスクロールケーシング５内を流れるにしたがって、空気の静圧を効率よく上昇させることができる。
【００２７】
一般に、ケーシング吸い込み口１１から回転軸１０の方向に吸い込まれた空気は、羽根車４の回転運動による遠心力により、流れの方向が軸方向から半径方向に変えられる。このため、スクロールケーシング５内の空気は、流動する空気の慣性により、ケーシング吸い込み口１１側で流れが遅く、主板１３側で流れが速くなる。このため、空気の速度分布が不均一になる。空気の速度分布が不均一となることで、スクロールケーシング５による空気の静圧の上昇効果が低下し、送風性能の低下を招く。また、流量が小さい駆動条件のときには、風速の遅いケーシング吸い込み口１１側における空気が出口開口部１２から流出せず、羽根車４へ逆流する場合がある。このため、騒音の発生および結露による露だれなどが生じ得る。この速度分布の不均一は、複数の送風部２Ａがケーシング吸い込み口１１が相対するように設置された場合に大きくなる。特に、隣り合う送風部２Ａのケーシング吸い込み口１１間で相対する距離が短くなると、速度分布が不均一になる。
【００２８】
したがって、実施の形態１の送風機２によれば、スクロールケーシング５は、回転軸１０に垂直な方向の出口開口部１２の幅が風速の速い主板１３から風速の遅いケーシング吸い込み口１１側の開口端部にかけて漸次縮小する形状で構成される。このため、送風部２Ａは、出口開口部１２から送られる空気の風速分布がより均一になり、送風性能の向上および低騒音などを実現することができる。ここで、実施の形態１の送風機２では、より高い効果を得ることができる、ケーシング吸い込み口１１が相対する複数台の送風部２Ａを備える場合について説明したが、これに限定するものではない。１台の送風部２Ａを備える送風機２であっても、同様の効果を得ることができる。
【００２９】
実施の形態２．
図５は、実施の形態２に係るスクロールケーシング５の要部について説明する図である。図５に示すように、実施の形態２のスクロールケーシング５は、実施の形態1でも説明したように、出口開口部１２について、回転軸１０の軸方向における開口端部の長さが、主板１３の位置での幅から漸次小さくなるように構成されている。
【００３０】
また、実施の形態２のスクロールケーシング５は、出口開口部１２において、回転軸１０の軸方向おける羽根車４の主板１３に対応する位置からケーシング吸い込み口１１側の開口端部までの長さにおける最大長さをＣｍａｘとする。さらに、羽根車４の主板１３が設置されている回転軸１０の軸方向の位置から、ケーシング吸い込み口１１の回転軸１０の軸方向の位置までの長さをＣとする。このとき、実施の形態２のスクロールケーシング５は、図５に示すように、出口開口部１２の最大長さＣｍａｘが、長さＣより長くなるように（最大長さＣｍａｘ＞長さＣ）、出口開口部１２を構成する。実施の形態２の送風部２Ａを有する室内機１００では、スクロールケーシング５の主板１３側であるスクロールケーシング５の中央部分における流速の速い空気が、出口開口部１２において、回転軸１０の軸方向に広がる。このため、空気の静圧が、さらに効率的に上昇する。
【００３１】
図６は、実施の形態２に係るスクロールケーシング５の要部の別例について説明する図である。たとえば、図６に示すように、出口開口部１２において、最大長さＣｍａｘとなる位置が、回転軸１０の軸方向における主板１３の位置に対応する高さ方向の中心Ｏよりも、羽根車４から遠くなる位置に構成してもよい。このとき、図６に示すように、スクロールケーシング５は、出口開口部１２の開口面を正面側から見たときに、回転軸１０の方向において最大長さＣｍａｘとなる位置が、出口開口部１２の高さ方向の中心Ｏよりも、周壁１６に近い方の位置にある構成となる。
【００３２】
たとえば、羽根車４を通過した空気は、羽根車４の遠心力によって半径方向の外側に向けて流出する。このため、出口開口部１２の高さ方向における中心Ｏよりも周壁１６に近い下側における空気の速度は速い。一方、出口開口部１２の高さ方向における中心Ｏよりも上側の空気の速度は遅くなる。図６のように構成することにより、空気の速度が遅くなる出口開口部１２の中心Ｏよりも上側では、流路が狭められる。また、空気の速度が速くなる出口開口部１２の中心Ｏよりも下側は、流路が広がる。したがって、出口開口部１２の形状をこのような構成にすることで、実施の形態２に係る送風部２Ａは、出口開口部１２における空気の速度の不均一をさらに緩和することができ、送風性能を向上させることができる。ここで、実施の形態２の送風機２についても、複数台の送風部２Ａを備える場合に基づく説明を行ったが、これに限定するものではない。１台の送風部２Ａを備える送風機２であっても、同様の効果を得ることができる。
【００３３】
実施の形態３．
図７は、実施の形態３に係る送風機２の要部について説明する図である。実施の形態３の送風機２は、前述した実施の形態２に係る送風部２Ａを幅方向に並べて配置したものである。図７は、送風機２における複数の送風部２Ａのうち、隣り合う２台の送風部２Ａにおける要部を示す。
【００３４】
図７などに示すように、送風機２は、隣り合う送風部２Ａのケーシング吸い込み口１１が相対するように配置されている。また、実施の形態２で説明したように、送風部２Ａのスクロールケーシング５は、出口開口部１２の最大長さＣｍａｘが長さＣより大きい。そこで、実施の形態３の送風機２は、各送風部２Ａの出口開口部１２において、回転軸１０の軸方向における開口端部が、それぞれ隣り合う送風部２Ａ同士で接するような構成とする。
【００３５】
実施の形態３における送風機２の構成とすることで、送風機２の本体吹き出し口８における回転軸１０の軸方向における空気の速度の不均一をさらに緩和することができる。これにより、実施の形態３の送風機２は、室内機１００の幅方向の寸法に応じた幅広の気流とすることができる。このため、室内機１００の本体吹き出し口８から室内に送られる気流が、室内にいる使用者に直接当たった場合でも、使用者は、気流感を感じにくく、快適性を維持することができる。また、室内機１００は、室内に幅広い気流を送り出すことができる。そして、実施の形態３における送風機２は、通常、室内機１００において本体吹き出し口８の近傍に設置されるフラップ（図示せず）が行う、気流の向きを制御する気流制御を妨げない。
【００３６】
ここで、図７では、回転軸１０の軸方向における開口端部が、それぞれ隣り合う送風部２Ａ同士で接するものとして説明したが、これに限定するものではない。隣り合う送風部２Ａの出口開口部１２において接する開口端部を取り払って連通させ、出口開口部１２を一体化してもよい。
【００３７】
実施の形態４．
図８は、実施の形態４に係る送風機２の要部について説明する図である。図８は、１セットとなる一体化した２台の送風部２Ａを示す。実施の形態４の送風機２は、複数セットの送風部２Ａが室内機１００の幅方向に並んで配置されている。
【００３８】
図８に示すように、実施の形態４の送風機２は、１セットにおける２台の送風部２Ａの羽根車４において、主板１３が相対する側に設置された羽根１４Ａが一体化し、２台の送風部２Ａに跨がっている。また、実施の形態４の送風機２では、１セットにおける２台の送風部２Ａにおける各主板１３は、相対する側のケーシング吸い込み口１１の位置で、シャフト３に接続されている。
【００３９】
そして、実施の形態４の送風機２は、１セットにおける２台の送風部２Ａの各出口開口部１２の間に、追加出口開口部１８を有する。したがって、前述した羽根１４Ａによって、２台の送風部２Ａの間に貫流ファンが構成されることになる。
【００４０】
実施の形態４のように構成された室内機１００において、駆動モータ９の回転によって本体吸い込み口７から吸い込まれた空気は、室内熱交換器６を通過して送風部２Ａに到達する。到達した空気の一部は、相対するように設置された送風部２Ａの隙間から、ケーシング吸い込み口１１を通過し、羽根車４による遠心力によりスクロールケーシング５の内部に流入し、出口開口部１２から空調空間に吹き出される。一方、送風部２Ａに到達した空気の一部は、貫流ファンとして構成された羽根１４Ａを通過し、追加出口開口部１８から空調空間に吹き出される。
【００４１】
一般に、遠心型の羽根車は圧力の上昇が大きい。貫流ファンは、圧力の上昇が小さいが多くの風量を得ることができる。実施の形態４のように構成された室内機１００においては、相対する送風部２Ａの隙間を貫流ファンとして構成しているため、風量を大きくすることができる。また、室内機１００は、遠心型の羽根車４とスクロールケーシング５による圧力の上昇を両立することができる。このため、送風機２および室内機１００の消費電力を低減することができる。また、出口開口部１２と追加出口開口部１８とが室内機１００の幅方向に連続して並んで設置される。このため、室内機１００の幅方向の寸法に応じた幅広の気流を得ることができ、快適性と気流制御性が低下しない。
【００４２】
実施の形態５．
図９は、実施の形態５に係る空気調和装置の構成例を示す図である。図９の空気調和装置は、室外機（室外ユニット）２００と、実施の形態１などにおいて説明した室内機（室内ユニット）１００とを冷媒配管３００により配管接続する。室外機２００は、圧縮機２１０、四方弁２２０、室外熱交換器２３０および膨張弁２４０を有している。
【００４３】
圧縮機２１０は、吸入した冷媒を圧縮して吐出する。ここで、特に限定するものではないが、圧縮機２１０は、たとえば、インバータ回路などにより、駆動周波数を任意に変化させることにより、圧縮機２１０の容量（単位時間あたりの冷媒を送り出す量）を変化できるようにしてもよい。四方弁２２０は、たとえば、冷房運転時と暖房運転時とによって冷媒の流れを切り換える弁である。
【００４４】
実施の形態５における室外熱交換器２３０は、冷媒と室外の空気との熱交換を行う。たとえば、室外熱交換器２３０は、暖房運転時においては蒸発器として機能し、冷媒を蒸発させ、気化させる。また、室外熱交換器２３０は、冷房運転時においては凝縮器として機能し、冷媒を凝縮して液化させる。
【００４５】
絞り装置などの膨張弁２４０は、冷媒を減圧して膨張させる。たとえば、膨張弁２４０が電子式膨張弁などである場合には、制御装置（図示せず）などの指示に基づいて、開度調整を行う。
【００４６】
以上のように、これまでの実施の形態で説明した送風機２を有する室内機１００と室外機２００とを冷媒配管３００で接続して空気調和装置を構成することで、送風性能の向上および低騒音化をはかることができる。
【符号の説明】
【００４７】
１  本体ケーシング、２  送風機、２Ａ  送風部、３  シャフト、４  羽根車、５  スクロールケーシング、６  室内熱交換器、７  本体吸い込み口、８  本体吹き出し口、９  駆動モータ、１０  回転軸、１１  ケーシング吸い込み口、１２  出口開口部、１３  主板、１４，１４Ａ  羽根、１５  端面、１６  周壁、１７  連結部、１８  追加出口開口部、１００  室内機、２００  室外機、２１０  圧縮機、２２０  四方弁、２３０  室外熱交換器、２４０  膨張弁、３００  冷媒配管。
【要約】
開示に係る送風機は、主板および主板の両面に配置された複数の羽根を有し、回転軸を中心に回転する羽根車と、羽根車の回転方向に羽根車を囲む渦巻形状の周壁、回転軸の軸方向において羽根車を覆い、空気が流入するケーシング吸い込み口を有する側壁並びに開口部分から羽根車の回転による空気が流出する出口開口部を有し、羽根車を収容するスクロールケーシングとを有する送風部を備え、出口開口部は、軸方向とは垂直な方向における開口部分の長さが、軸方向において主板と対応する位置の長さよりも、開口端部の位置における長さの方が短く構成されるものである。【図１】
0006925571.tif 000002
【図２】
0006925571.tif 000003
【図３】
0006925571.tif 000004
【図４】
0006925571.tif 000005
【図５】
0006925571.tif 000006
【図６】
0006925571.tif 000007
【図７】
0006925571.tif 000008
【図８】
0006925571.tif 000009
【図９】
0006925571.tif 000010